(57)【要約】【課題】従来、冷蔵庫の照明灯、ドアスイッチ及び操作スイッチ部は、それぞれ離れた場所に取り付けられていて、冷蔵庫本体の背面壁に形成した窪みに取り付けた制御基板部と電気配線されている。このため、制御基板部とのそれぞれの配線は、個々に外箱の断熱材側の面に配置されて接着テープによって止められた状態で、断熱材充填空間に発泡性断熱材を充填するため、その配線作業がかなり面倒であった。本発明は、このような電気配線の複雑さを解消して、配線作業が簡素化される冷蔵庫を提供するものである。【解決手段】庫内照明灯、ドアスイッチ及び操作スイッチ部を収納したボックスを前面開口の冷蔵庫本体の上壁前部に設置して、冷蔵庫本体の他部に設置した制御基板部と接続する。【選択図】      図２
2004239452.tif 000002
【特許請求の範囲】
【請求項１】
冷蔵庫の庫内を照明する照明灯と、冷蔵庫の扉の開閉によって前記照明灯をＯＮ―ＯＦＦするドアスイッチと、前記冷蔵庫の温度設定や各種機能を操作する操作スイッチ部と、前記照明灯、ドアスイッチ及び操作スイッチ部に電気配線でもって接続される制御基板部とを備え、前記照明灯、ドアスイッチ及び操作スイッチ部を収納したボックスを前面開口が扉によって開閉される冷蔵庫本体の上壁前部に設置したことを特徴とする冷蔵庫。
【請求項２】
前面開口が扉によって開閉される冷蔵庫本体の上壁前部には冷蔵庫本体内を照明する照明灯と冷蔵庫の扉の開閉によってこの照明灯をＯＮ―ＯＦＦするドアスイッチと冷蔵庫の温度設定や各種機能を操作するスイッチ部とを収納したボックスが設置され、前記冷蔵庫の運転制御を行う電気部品が取り付けられた制御基板部が前記冷蔵庫本体の断熱材で覆われた窪みに収納され、前記ボックス内の照明灯、ドアスイッチ及び操作スイッチ部と、前記制御基板部とを接続する複数本の電気配線を束ねて配線したことを特徴とする冷蔵庫。
【請求項３】
冷蔵庫の庫内を照明する照明灯と、冷蔵庫の扉の開閉によって前記照明灯をＯＮ―ＯＦＦするドアスイッチと、前記照明灯及びドアスイッチに電気配線でもって接続される制御基板部とを備え、前記照明灯及びドアスイッチを収納したボックスを前面開口が扉によって開閉される冷蔵庫本体の上壁前部に前記照明灯が前記冷蔵庫本体よりも前方へ位置するように設置したことを特徴とする冷蔵庫。
【発明の詳細な説明】
【０００１】
【発明の属する技術分野】
本発明は、庫内の照明灯、この照明灯をＯＮ―ＯＦＦするドアスイッチ、操作スイッチ部、及び電気部品が取り付けられた制御基板を備えた冷蔵庫に関する。
【０００２】
【従来の技術】
一般の冷蔵庫は、庫内を照明する照明灯、操作スイッチ部、冷蔵庫の扉の開閉によってこの照明灯をＯＮ―ＯＦＦするドアスイッチ、及び電気部品が取り付けられた制御基板部を備えており、冷蔵庫に各種の機能が付加されることに伴って制御基板の大型化が進み、設置スペース等の関係から制御基板が冷蔵庫の本体の庫外側である背面の窪みに設置される状況となっている（例えば、特許文献１参照）。
【０００３】
また、庫内を照明する照明灯は冷蔵庫本体の庫内に取り付けられ、冷蔵庫の扉の開閉によってこの照明灯をＯＮ―ＯＦＦするドアスイッチは冷蔵庫本体の前面部に取り付けられるが、冷蔵庫の操作スイッチ部は、使用性を考慮して冷蔵庫本体の前面部や扉の前面に配置されている（例えば、特許文献２）。
【０００４】
庫内照明灯とこの通電回路を開閉するドアスイッチは交流１００Ｖ回路に接続されるが、操作スイッチ部とその操作に基づき冷蔵庫の温度やその他の機能を制御する制御回路は、マイクロコンピュータを含む直流低電圧回路に接続されており、制御基板部には交流１００Ｖ回路と直流低電圧回路が配線されている。上記のように、ドアスイッチ、庫内照明灯、操作スイッチ部、及び制御基板部は、それぞれ離れた場所に配置されているため、冷蔵庫本体の背面の窪みに設置された制御基板部に対するドアスイッチ、庫内照明灯、操作スイッチ部の配線は、それぞれ単独の配線となり、配線数が多くなって冷蔵庫への配線作業が面倒である。
【０００５】
【特許文献１】
特開２００１−０８２８７０号公報（第１〜３頁、図１、図５）
【特許文献２】
特開２００２−２９５９５２号公報（第１〜３頁、図１、図２）
【０００６】
【発明が解決しようとする課題】
本発明は、このような電気配線の複雑さを解消して、配線作業が簡素化される冷蔵庫を提供するものである。
【０００７】
【課題を解決するための手段】
本発明の冷蔵庫は、冷蔵庫の庫内を照明する照明灯と、冷蔵庫の扉の開閉によって前記照明灯をＯＮ―ＯＦＦするドアスイッチと、前記冷蔵庫の温度設定や各種機能を操作する操作スイッチ部と、前記照明灯、ドアスイッチ及び操作スイッチ部に電気配線でもって接続される制御基板部とを備え、前記照明灯、ドアスイッチ及び操作スイッチ部を収納したボックスを前面開口が扉によって開閉される冷蔵庫本体の上壁前部に設置している。
【０００８】
また、本発明の冷蔵庫は、前面開口が扉によって開閉される冷蔵庫本体の上壁前部には冷蔵庫本体内を照明する照明灯と冷蔵庫の扉の開閉によってこの照明灯をＯＮ―ＯＦＦするドアスイッチと冷蔵庫の温度設定や各種機能を操作するスイッチ部とを収納したボックスが設置され、前記冷蔵庫の運転制御を行う電気部品が取り付けられた制御基板部が前記冷蔵庫本体の断熱材で覆われた窪みに収納され、前記ボックス内の照明灯、ドアスイッチ及び操作スイッチ部と、前記制御基板部とを接続する複数本の電気配線を束ねて配線したことを特徴とする。
【０００９】
このため、ボックスには照明灯と照明灯をＯＮ―ＯＦＦするドアスイッチが収納されているため、相互に関連する電気部品が近傍に配置されることによって電気配線が短く且つ配線がし易くなる。また、照明灯、ドアスイッチ及び操作スイッチ部と、制御基板部とを接続する複数本の電気配線を束ねた配線が達成でき、電気配線の複雑さが解消され配線作業が簡素化される冷蔵庫を提供できる。また照明灯、ドアスイッチ及び操作スイッチ部がボックスに収納できるため、冷蔵庫へのこれらの部品の取り付けも簡素化され、生産コストの低減ができる。更に、照明灯は冷蔵庫の最上段から冷蔵庫庫内の貯蔵物品を正面側から照らすため、冷蔵庫の使用者は貯蔵物品を判別しやすくなる。
【００１０】
また、本発明の冷蔵庫は、冷蔵庫の庫内を照明する照明灯と、冷蔵庫の扉の開閉によって前記照明灯をＯＮ―ＯＦＦするドアスイッチと、前記照明灯及びドアスイッチに電気配線でもって接続される制御基板部とを備え、前記照明灯及びドアスイッチを収納したボックスを前面開口が扉によって開閉される冷蔵庫本体の上壁前部に前記照明灯が前記冷蔵庫本体よりも前方へ位置するように設置したことを特徴とする。
【００１１】
このように、ボックスには照明灯と照明灯をＯＮ―ＯＦＦするドアスイッチが収納されているため、相互に関連する電気部品が近傍に配置されるため、電気配線がし易くなる。また、従来の庫内灯のように冷蔵庫内の奥に配置されていたものでは、冷蔵庫の使用者側から見れば貯蔵物品を逆光で見る状態となり、貯蔵物品の正面側の照明が不十分である。本発明では、照明灯は冷蔵庫の最上段から冷蔵庫庫内の貯蔵物品を正面側から照らすため、冷蔵庫の使用者は貯蔵物品を判別しやすくなる。なお、扉がある程度開いた状態では冷蔵庫内を前方から照明するため、照明上の問題はない。
【００１２】
【発明の実施の形態】
次に、本発明の実施の形態について説明する。各図は本発明の実施形態を示しており、図１は本発明に係る冷蔵庫の縦断側面、図２は扉を開いた状態の一部断面で示す本発明に係る冷蔵庫の上部側面図、図３は本発明に係る冷蔵庫本体の上部斜視図、図４は本発明に係るボックス部分の断面による説明図、図５は本発明以前の配線状態を示す冷蔵庫本体の正面斜視図である。
【００１３】
これらの図において、Ｒは冷蔵庫であり、前面開口の冷蔵庫本体１内を区画して複数の貯蔵室を形成し、これら各貯蔵室の前面は扉で開閉できる構成である。この冷蔵庫において、１は断熱箱体を構成する冷蔵庫本体であり、外箱（外壁板）３と内箱（内壁板）２とを組み合わせて外箱（外壁板）３と内箱（内壁板）２との間に断熱材充填空間３０を形成した箱体の断熱材充填空間３０に発泡性断熱材４を充填した断熱構造である。冷蔵庫本体１内には、貯蔵室として上から冷蔵室５、野菜室６、冷凍室７が区画されて設けられ、冷蔵室５内には複数段に板状棚で構成した棚装置８が設けられている。冷蔵室５内の底部にはその上方の冷蔵室５と最下段の棚装置８にて区画された特定低温室９が設けられ、また冷凍室７は上冷凍室１０と下冷凍室１１に区分されている。
【００１４】
冷蔵室５の前面開口は、冷蔵庫本体１の一側部に上下のヒンジ装置３１Ａ、３１Ｂにて横方向に回動して開閉される回動式扉１２にて閉塞される。野菜室６の前面開口は、野菜室６内に設けた左右のレールとそれに組み合うローラを含む引き出し装置２８によって前後方向へ引き出し可能に支持した野菜容器１３と共に前方へ引き出される引き出し式扉１４にて閉塞されている。上冷凍室１０と下冷凍室１１はそれぞれ野菜室６と同様に、冷凍室内に設けた左右のレールに対してそれぞれ前後方向へ引き出し可能に支持した容器１５、１６と共に前方へ引き出される引き出し式扉１７、１８にて閉塞されている。
【００１５】
２０は冷凍システムの冷媒の圧縮機、２１は冷凍システムの冷媒の凝縮器、２２は凝縮器２１の熱にて後述の冷却器の除霜水を蒸発させる蒸発皿である。２３、２４は冷凍システムの冷媒の冷却器（蒸発器）であり、２３は冷凍室７用冷却器、２４は冷蔵室５、野菜室６及び特定低温室９用冷却器である。２５は第１冷気循環送風機、２６は第２冷気循環送風機である。冷却器２３で冷却した冷気は送風機２５によって、上冷凍室１０及び下冷凍室１１を経て冷却器２３へ帰還する循環をする。また冷却器２４で冷却した冷気は送風機２６によって、冷蔵室５、特定低温室９及び野菜室６を経て冷却器２４へ帰還する循環をする。このような冷気循環経路は図１に矢印で示す。特定低温室９は、前後方向へ引き出し可能に支持した容器２７が設けられ、０℃前後で食品が凍結しない程度の低温に冷却されるものである。
【００１６】
４０は冷蔵庫本体１の庫内である冷蔵室５を照明する照明灯４１と、冷蔵庫の扉１２の開閉によって照明灯４１をＯＮ―ＯＦＦするドアスイッチ４２と、冷蔵庫Ｒの温度設定や各種機能を操作する操作スイッチ部４３を収納したボックスであり、冷蔵庫本体１の上壁前部に設置している。上部ヒンジ装置３１Ａは、冷蔵庫本体１の上壁の上面にボルトネジ３２によって固定したヒンジ板３３の先端部から下方に延びたヒンジ軸３４に扉１２が回動自在に支持された構成である。ボックス４０は、この上部ヒンジ装置３１Ａを覆って冷蔵庫本体１の上壁の上面前部に、冷蔵庫本体１よりも前方へと張り出した状態で設置されている。これによって、照明灯４１とドアスイッチ４２の作動部材４４が、冷蔵庫本体１よりも前方に位置する。操作スイッチ部４３の操作部はボックス４０の前面に露出していて、冷蔵庫Ｒの前面から操作可能である。
【００１７】
ドアスイッチ４２は、扉１２の開閉によって回動するようにボックス４０内に軸支持された作動部材４４の上下動によって照明灯４１をＯＮ―ＯＦＦする。扉１２が開いたときには作動部材４４が図４の点線で示すように下降してドアスイッチ４２がＯＮして照明灯４１が点灯し、扉１２が閉じたときには作動部材４４が図４の実線で示すように上昇してドアスイッチ４２がＯＦＦして照明灯４１が消灯する。照明灯４１は、白熱電灯や蛍光灯が使用されるが、その上方には反射板４５が配置され、下方には照明灯４１の光を透過するカバー４６で覆われている。照明灯４１の光はカバー４６を通して冷蔵室５内を照射する。
【００１８】
５０は、冷蔵庫Ｒの運転制御を行う電気部品が取り付けられた制御基板部であり、ボックス４０内の電気部品と電気的に接続されている。制御基板部５０は、操作スイッチ部４３の操作や温度センサ４７からの信号に基づき冷蔵庫Ｒの温度やその他の機能を制御するマイクロコンピュータを含んで直流低電圧回路に接続された電子回路を備えている。庫内照明灯４１とこの通電回路を開閉するドアスイッチ４２は、制御基板部５０を介して交流１００Ｖ回路４８に接続されている。制御基板部５０とボックス４０内の電気部品との電気的接続の一つの具体的な実施形態としては、制御基板部５０とボックス４０内の電気部品とは、上記の操作スイッチ部４３を含む直流低電圧回路の配線と、照明灯４１とドアスイッチ４２を含む交流１００Ｖ回路の配線によって接続されている。制御基板部５０は、上記直流低電圧回路の配線用と交流１００Ｖ回路の配線用とに分割されたものでもよい。制御基板部５０は、冷蔵庫本体１の外箱３の背面壁を断熱材４側へ窪ませた窪み５１に設置され、外面をカバー５２によって覆っている。これによって、制御基板部５０は、断熱材４で周囲が覆われた構成となり、冷蔵庫Ｒの庫内冷気による冷却から保護される。
【００１９】
このようなボックス４０内の照明灯４１、ドアスイッチ４２及び操作スイッチ部４３と、制御基板部５０とを接続する複数本の電気配線は、一本の配線束４９を構成するように束ねられて外箱３の断熱材４側に配置され、これによって配線束４９は断熱材４で覆われた状態で保護される。複数本の電気配線を一つの束に束ねる方法としては、個々の配線を一本の絶縁を考慮して、合成樹脂製筒に通す方法や、個々の配線を合成樹脂製帯材によって螺旋状に巻いて一つの束を形成する方法や、絶縁テープで巻いて一つの束を形成する方法等がある。なお、交流１００Ｖ回路配線による直流低電圧回路配線への電磁障害を除く場合は、一方の配線を電磁シールド材で被覆する等の方法によって、両者間に電磁シールドを施せばよい。
【００２０】
本発明以前では、照明灯４１、ドアスイッチ４２及び操作スイッチ部４３は、例えば図５に示すようにそれぞれ離れた場所に取り付けられていて、冷蔵庫本体１の背面壁に形成した窪みに取り付けた制御基板部５０と電気配線されている。このため、制御基板部５０とのそれぞれの配線（イ）（ロ）（ハ）は、個々に外箱３の断熱材４側の面に配置されて接着テープによって止められた状態で、外箱（外壁板）３と内箱（内壁板）２との間の断熱材充填空間３０に発泡性断熱材４を充填する。このため、その配線作業がかなり面倒であった。
【００２１】
しかし本発明では、上記の構成によって複数本の電気配線は一本の配線束４９を構成するように束ねることが容易となり、この束ねた配線束４９を外箱３の断熱材４側の面に配置して接着テープによって止めた状態で、外箱（外壁板）３と内箱（内壁板）２との間の断熱材充填空間３０に発泡性断熱材４を充填するため、配線作業が極めて簡素化される。
【００２２】
なお、ドアスイッチ４２をリードスイッチ方式にすれば、そのＯＮ、ＯＦＦ動作をさせる磁石を扉１２に設ければよい。本発明は、上記実施形態に限定されず種々の形態の冷蔵庫に適用でき、本発明の技術的範囲を逸脱しない限り種々の変更が考えられ、それに係る種々の実施形態を包含するものである。
【００２３】
【発明の効果】
本発明によって、制御基板部とボックス内の電気部品との配線は一つに束ねた配線が可能となり、冷蔵庫本体への配線作業が簡素化され製造コストの低減化が図れる。このため、照明灯、ドアスイッチ及び操作スイッチ部と、制御基板部とを接続する複数本の直流低電圧回路の配線と交流１００Ｖ回路の配線電気配線とを束ねた配線が達成でき、電気配線の複雑さを解消して、配線作業が簡素化される冷蔵庫を提供できる。
【００２４】
また、ボックスには照明灯と照明灯をＯＮ―ＯＦＦするドアスイッチが収納されているため、相互に関連する電気部品が近傍に配置されることとなり、電気配線が短く配線もし易くなる。更に、照明灯、ドアスイッチ及び操作スイッチ部がボックス内に収納できるため、冷蔵庫へのこれらの部品の取り付けも簡素化される。また、照明灯は冷蔵庫の最上段から冷蔵庫庫内の貯蔵物品を正面側から照らすため、冷蔵庫の使用者は貯蔵物品を判別しやすくなる。
【００２５】
請求項３の発明によって、ボックスには照明灯と照明灯をＯＮ―ＯＦＦするドアスイッチが収納されているため、相互に関連する電気部品が近傍に配置されるため、電気配線がし易くなる。また、従来のように照明灯が冷蔵庫内の奥に配置されていたものでは、冷蔵庫の使用者側から見れば貯蔵物品を逆光で見る状態となり、貯蔵物品の正面側の照明が不十分である。本発明では、照明灯は冷蔵庫の最上段から冷蔵庫庫内の貯蔵物品を正面側から照らすため、冷蔵庫の使用者は貯蔵物品を判別しやすくなる。なお、扉がある程度開いた状態では冷蔵庫内を前方から照明するため、照明上の問題はない。
【００２６】
なお、上部ヒンジ装置をボックスで覆うことにより、上部ヒンジ装置を隠してデザイン向上を図ることができる。
【図面の簡単な説明】
【図１】本発明に係る冷蔵庫の縦断側面である。
【図２】扉を開いた状態の一部断面で示す本発明に係る冷蔵庫の上部側面図である。
【図３】本発明に係る冷蔵庫本体の上部斜視図である。
【図４】本発明に係るボックス部分の断面による説明図である。
【図５】本発明以前の配線状態を示す冷蔵庫本体の正面斜視図である。
【符号の説明】
１・・・冷蔵庫本体
２・・・内箱
３・・・外箱
４・・・発泡性断熱材
５・・・冷蔵室
３０・・・断熱材充填空間
３１Ａ、３１Ｂ・・・上下のヒンジ装置
４０・・・ボックス
４１・・・照明灯
４２・・・ドアスイッチ
４３・・・操作スイッチ部
４４・・・作動部材
４５・・・反射板
４８・・・交流１００Ｖ回路
４９・・・配線束
５０・・・制御基板部
５１・・・窪み
【図１】
2004239452.tif 000003
【図２】
2004239452.tif 000004
【図３】
2004239452.tif 000005
【図４】
2004239452.tif 000006
【図５】
2004239452.tif 000007